(57)【要約】【課題】複数の電源に対して、電力の出力量を適切に分担することができる分散型電力供給システムを提供する。【解決手段】分散型電力供給システム１００は、電源１１０と電源１２０とを備え、電源１１０および電源１２０は、負荷３００が接続される電力線３０１に接続され、電源１１０は、交流電圧を生成し、交流電圧で規定される第１電力を電力線３０１へ出力するインバータ１１１と、インバータ１１１に対して、貯蔵された電力を供給する電力貯蔵装置１１２とを備え、電源１２０は、電力線３０１を介して交流電圧を検出し、交流電圧に同期した交流電流で規定される第２電力を電力線３０１へ出力するインバータ１２１を備え、インバータ１１１は、第１電力の出力量の変化に従って、交流電圧の周波数を変化させ、インバータ１２１は、周波数の変化に従って、第２電力の出力量を変化させる。【選択図】図１
2016123243.tif 000002
【特許請求の範囲】
【請求項１】
第１電源と、
第２電源とを備え、
前記第１電源および前記第２電源は、負荷が接続される電力線に接続され、
前記第１電源は、
交流電圧を生成し、前記交流電圧で規定される第１電力を前記電力線へ出力する第１インバータと、
前記第１インバータに対して、貯蔵された電力を供給する第１電力貯蔵装置とを備え、
前記第２電源は、前記電力線を介して前記交流電圧を検出し、前記交流電圧に同期した第１交流電流で規定される第２電力を前記電力線へ出力する第２インバータを備え、
前記第１インバータは、前記第１電力の出力量である第１電力出力量の変化に従って、前記交流電圧の周波数を変化させ、
前記第２インバータは、前記周波数の変化に従って、前記第２電力の出力量である第２電力出力量を変化させる
分散型電力供給システム。
【請求項２】
前記第１電力出力量の変化量と前記周波数の変化量との比、および、前記第２電力出力量の変化量と前記周波数の変化量との比は、互いに等しい
請求項１に記載の分散型電力供給システム。
【請求項３】
前記第１電力出力量の変化量と前記周波数の変化量との比、および、前記第２電力出力量の変化量と前記周波数の変化量との比は、互いに異なる
請求項１に記載の分散型電力供給システム。
【請求項４】
前記分散型電力供給システムは、さらに、前記電力線に接続される第３電源を備え、
前記第３電源は、前記電力線を介して前記交流電圧を検出し、前記交流電圧に同期した第２交流電流で規定される第３電力を前記電力線へ出力する第３インバータを備え、
前記第３インバータは、前記周波数の変化に従って、前記第３電力の出力量である第３電力出力量を変化させ、
前記第２電力出力量の変化量と前記周波数の変化量との比、および、前記第３電力出力量の変化量と前記周波数の変化量との比は、互いに等しい
請求項１〜３のいずれか１項に記載の分散型電力供給システム。
【請求項５】
前記分散型電力供給システムは、さらに、前記電力線に接続される第３電源を備え、
前記第３電源は、前記電力線を介して前記交流電圧を検出し、前記交流電圧に同期した第２交流電流で規定される第３電力を前記電力線へ出力する第３インバータを備え、
前記第３インバータは、前記周波数の変化に従って、前記第３電力の出力量である第３電力出力量を変化させ、
前記第２電力出力量の変化量と前記周波数の変化量との比、および、前記第３電力出力量の変化量と前記周波数の変化量との比は、互いに異なる
請求項１〜３のいずれか１項に記載の分散型電力供給システム。
【請求項６】
前記第１電力出力量の変化量と前記周波数の変化量との比は、前記第１電力貯蔵装置の充電状態に従って変動する
請求項１に記載の分散型電力供給システム。
【請求項７】
前記第２電源は、さらに、前記第２インバータに対して、貯蔵された電力を供給する第２電力貯蔵装置を備え、
前記第２電力出力量の変化量と前記周波数の変化量との比は、前記第２電力貯蔵装置の充電状態に従って変動する
請求項１または６に記載の分散型電力供給システム。
【請求項８】
前記第２電源は、さらに、前記第２インバータに対して、貯蔵された電力を供給する第２電力貯蔵装置を備え、
前記第２インバータは、双方向インバータであり、
前記第２インバータは、前記第２電力貯蔵装置の充電状態が所定の充電状態よりも低い場合、前記第２電力を出力せずに、前記電力線から電力を取得し、前記第２電力貯蔵装置に充電させる
請求項１に記載の分散型電力供給システム。
【請求項９】
負荷が接続された電力線に接続された第１電源において交流電圧を生成し、前記交流電圧で規定される第１電力を前記第１電源から前記電力線へ出力し、
前記電力線に接続された第２電源において前記電力線を介して前記交流電圧を検出し、前記交流電圧に同期した交流電流で規定される第２電力を前記第２電源から前記電力線へ出力し、
前記第１電力を出力する際、前記第１電力の出力量である第１電力出力量の変化に従って、前記交流電圧の周波数を変化させ、
前記第２電力を出力する際、前記周波数の変化に従って、前記第２電力の出力量である第２電力出力量を変化させる
電力供給制御方法。
【発明の詳細な説明】
【技術分野】
【０００１】
本発明は、複数の電源を備える分散型電力供給システム等に関する。
【背景技術】
【０００２】
従来、電力供給量の増強のため、複数の電源から電力を供給する分散型電力供給システムが検討されている。
【０００３】
例えば、特許文献１には、分散型電源設備の運転制御方法が記載されている。この運転制御方法では、基準のインバータの電圧制御運転により、交流電圧源が形成される。そして、残りのインバータの電流制御運転により、交流電圧源に同期した交流電流源が形成される。これにより、分散型電源設備において並列同期運転が行われる。
【先行技術文献】
【特許文献】
【０００４】
【特許文献１】特開平１１−８９０９６号公報
【発明の概要】
【発明が解決しようとする課題】
【０００５】
しかしながら、複数の電源に対して電力の出力量を適切に分担することは、容易ではない。
【０００６】
例えば、複数の電源のそれぞれは、他の電源から独立して、電力需給が釣り合うように、電力を負荷に供給する。これにより、複数の電源は、全体として負荷に対して過不足なく電力を供給することができる。しかし、意図せず、１つの電源が大量に電力を出力し、他の電源がほとんど電力を出力していない状態で、電力需給が釣り合う場合がある。これにより、電力の出力量が適切に分担されない場合がある。
【０００７】
また、例えば、複数の電源は、互いに通信を行うことで、電力量を適切に分担することができる。しかし、この場合、電源間で通信を行うための設備および機構の準備に費用および時間がかかる可能性がある。また、通信線で通信可能な距離などに従って、電源の設置場所が制限される可能性がある。また、通信が途絶えた場合、電力供給が困難になる。
【０００８】
そこで、本発明は、複数の電源に対して、電力の出力量を適切に分担することができる分散型電力供給システム等を提供することを目的とする。
【課題を解決するための手段】
【０００９】
上記目的を達成するために、本発明の一態様に係る分散型電力供給システムは、第１電源と、第２電源とを備え、前記第１電源および前記第２電源は、負荷が接続される電力線に接続され、前記第１電源は、交流電圧を生成し、前記交流電圧で規定される第１電力を前記電力線へ出力する第１インバータと、前記第１インバータに対して、貯蔵された電力を供給する第１電力貯蔵装置とを備え、前記第２電源は、前記電力線を介して前記交流電圧を検出し、前記交流電圧に同期した第１交流電流で規定される第２電力を前記電力線へ出力する第２インバータを備え、前記第１インバータは、前記第１電力の出力量である第１電力出力量の変化に従って、前記交流電圧の周波数を変化させ、前記第２インバータは、前記周波数の変化に従って、前記第２電力の出力量である第２電力出力量を変化させる。
【００１０】
また、本発明の一態様に係る電力供給制御方法は、負荷が接続された電力線に接続された第１電源において交流電圧を生成し、前記交流電圧で規定される第１電力を前記第１電源から前記電力線へ出力し、前記電力線に接続された第２電源において前記電力線を介して前記交流電圧を検出し、前記交流電圧に同期した交流電流で規定される第２電力を前記第２電源から前記電力線へ出力し、前記第１電力を出力する際、前記第１電力の出力量である第１電力出力量の変化に従って、前記交流電圧の周波数を変化させ、前記第２電力を出力する際、前記周波数の変化に従って、前記第２電力の出力量である第２電力出力量を変化させる。
【発明の効果】
【００１１】
本発明の一態様に係る分散型電力供給システム等は、複数の電源に対して、電力の出力量を適切に分担することができる。
【図面の簡単な説明】
【００１２】
【図１】本発明の実施の形態における分散型電力供給システムの構成を示すブロック図
【図２】本発明の実施の形態における複数のインバータの構成を示すブロック図
【図３】インバータから負荷への電力供給状態の一例を示す模式図
【図４】２つのインバータから負荷への電力供給状態の一例（第１例）を示す模式図
【図５】２つのインバータから負荷への電力供給状態の一例（第２例）を示す模式図
【図６】２つのインバータから負荷への電力供給状態の一例（第３例）を示す模式図
【図７】本発明の実施の形態におけるインバータ特性の一例（第１例）を示すグラフ
【図８】本発明の実施の形態におけるインバータ特性の一例（第２例）を示すグラフ
【図９】本発明の実施の形態におけるインバータ特性の一例（第３例）を示すグラフ
【図１０】本発明の実施の形態におけるインバータ特性の一例（第４例）を示すグラフ
【図１１】本発明の実施の形態におけるインバータ特性の一例（第５例）を示すグラフ
【図１２】本発明の実施の形態におけるインバータ特性の一例（第６例）を示すグラフ
【図１３】本発明の実施の形態におけるインバータ特性の一例（第７例）を示すグラフ
【図１４】本発明の実施の形態における分散型電力供給システムの動作を示すフローチャート
【発明を実施するための形態】
【００１３】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１４】
また、以下の説明における第１、第２および第３などの序数は、適宜、付け替えられてもよい。また、以下の説明において、電圧または電流で規定される電力は、電圧または電流で構成される電力と表現されてもよいし、電圧または電流を含む電力と表現されてもよい。
【００１５】
（実施の形態）
本実施の形態は、複数の電源を備える分散型電力供給システムの構成、および、その動作を示す。まず、図１および図２を用いて、分散型電力供給システムの構成を説明する。
【００１６】
図１は、本実施の形態における分散型電力供給システムの構成を示すブロック図である。図１に示された分散型電力供給システム１００は、負荷３００に電力を供給するシステムであり、並列に動作する電源１１０、１２０、１３０を備える。
【００１７】
電源１１０は、負荷３００に電力を供給する電源であり、インバータ１１１および電力貯蔵装置１１２を備える。電源１２０は、負荷３００に電力を供給する電源であり、インバータ１２１および電力貯蔵装置１２２を備える。電源１３０は、負荷３００に電力を供給する電源であり、インバータ１３１を備える。電力貯蔵装置１１２、１２２は、それぞれ、任意の構成要素であって、分散型電力供給システム１００に含まれなくてもよい。
【００１８】
電源１１０、電源１２０および電源１３０は、それぞれ、第１電源、第２電源および第３電源と表現されてもよい。インバータ１１１、インバータ１２１およびインバータ１３１は、それぞれ、第１インバータ、第２インバータおよび第３インバータと表現されてもよい。電力貯蔵装置１１２および電力貯蔵装置１２２は、それぞれ、第１電力貯蔵装置および第２電力貯蔵装置と表現されてもよい。
【００１９】
また、発電機２１０、２２０、２３０、および、負荷３００が、分散型電力供給システム１００に電気的に接続される。
【００２０】
具体的には、電力線２１１を介して、発電機２１０、電力貯蔵装置１１２およびインバータ１１１が、互いに接続される。また、電力線２２１を介して、発電機２２０、電力貯蔵装置１２２およびインバータ１２１が、互いに接続される。また、電力線２３１を介して、発電機２３０およびインバータ１３１が、互いに接続される。また、電力線３０１を介して、インバータ１１１、１２１、１３１、および、負荷３００が、互いに接続される。
【００２１】
発電機２１０、２２０、２３０は、それぞれ、直流電力を生成する発電機であり、例えば、太陽電池または燃料電池等である。具体的には、発電機２１０は、生成された直流電力をインバータ１１１および電力貯蔵装置１１２の一方または両方に電力線２１１を介して供給する。同様に、発電機２２０は、生成された直流電力をインバータ１２１および電力貯蔵装置１２２の一方または両方に電力線２２１を介して供給する。発電機２３０は、生成された直流電力をインバータ１３１に電力線２３１を介して供給する。
【００２２】
発電機２１０は、分散型電力供給システム１００に含まれてもよいし、電源１１０に含まれてもよい。また、発電機２２０は、分散型電力供給システム１００に含まれてもよいし、電源１２０に含まれてもよい。また、発電機２３０は、分散型電力供給システム１００に含まれてもよいし、電源１３０に含まれてもよい。
【００２３】
なお、発電機２１０、２２０、２３０のそれぞれが、太陽電池または燃料電池等のように自然エネルギーを利用する発電機である場合、並列に動作する電源１１０、１２０、１３０を備える分散型電力供給システム１００によって得られる効果は大きい。
【００２４】
インバータ１１１、１２１、１３１は、それぞれ、直流電力を交流電力に変換するインバータである。
【００２５】
例えば、インバータ１１１は、発電機２１０および電力貯蔵装置１１２の両方または一方から電力線２１１を介して直流電力を取得する。インバータ１２１は、発電機２２０および電力貯蔵装置１２２の両方または一方から電力線２２１を介して直流電力を取得する。インバータ１３１は、発電機２３０から電力線２３１を介して直流電力を取得する。
【００２６】
そして、インバータ１１１、１２１、１３１は、それぞれ、直流電力から交流電力を生成し、生成された交流電力を出力する。出力された交流電力は、電力線３０１を介して、負荷３００に供給される。
【００２７】
特に、インバータ１１１は、電圧制御を行うインバータ（電圧制御インバータ）である。インバータ１１１は、所定の大きさを有する交流電圧を基準電圧として生成する。例えば、インバータ１１１は、２００（Ｖｒｍｓ）の交流電圧を基準電圧として生成する。そして、インバータ１１１は、基準電圧として生成された交流電圧で規定される交流電力を出力する。すなわち、インバータ１１１は、生成された交流電圧を交流電力として出力する。
【００２８】
また、インバータ１１１から出力される交流電力の周波数は、インバータ１１１から出力される交流電力の出力量の変化に従って変化する。すなわち、インバータ１１１は、交流電力の出力量の変化に従って、交流電力の周波数を変化させる。
【００２９】
例えば、インバータ１１１は、電力線３０１の電力状態に従って、負荷３００に電力が過不足なく供給されるように、交流電力を出力する。その際、インバータ１１１は、インバータ１１１が出力する交流電力の出力量に従って周波数を決定する。そして、インバータ１１１は、決定された周波数に、インバータ１１１が出力する交流電力の周波数を変化させる。
【００３０】
なお、交流電力は、基本的に、交流電圧および交流電流で規定される。また、交流電力を規定する交流電流の周波数は、基本的に、その交流電力を規定する交流電圧の周波数と同じであるため、交流電流の周波数、および、交流電圧の周波数は、交流電力の周波数と表現される場合がある。
【００３１】
また、本実施の形態における出力量は、有効電力の出力量でもよい。インバータ１１１は、電力線３０１における電圧を維持するため、無効電力を含む電力を出力する。すなわち、インバータ１１１が出力する電力は、有効電力と無効電力とを含む。図１において、インバータ１１１が出力する有効電力は、Ｐ１と表現され、インバータ１１１が出力する無効電力は、Ｑ１と表現される。そして、インバータ１１１が出力する電力は、Ｐ１＋ｊＱ１と表現される。ここで、ｊは、虚数単位を示す。
【００３２】
また、インバータ１２１、１３１は、それぞれ、電流制御を行うインバータ（電流制御インバータ）である。インバータ１２１、１３１は、それぞれ、基準電圧として生成された交流電圧に１（１００％）の力率で交流電流を重畳することにより、交流電圧に同期した交流電流で規定される交流電力を出力する。すなわち、インバータ１２１、１３１は、交流電圧に同期した交流電流を交流電力として出力する。
【００３３】
なお、インバータ１２１、１３１は、交流電圧の同期制御を行う。したがって、インバータ１２１、１３１から出力される交流電力を規定する交流電圧は、インバータ１１１から出力される交流電力を規定する交流電圧に等しい。また、交流電流を重畳する際の力率は、１（１００％）に限らず、所定の力率以上でもよい。例えば、交流電流を重畳する際の力率は、０．９（９０％）以上でもよい。
【００３４】
また、インバータ１２１から出力される交流電力の出力量は、インバータ１２１から出力される交流電力の周波数の変化に従って変化する。すなわち、インバータ１２１は、交流電力の周波数の変化に従って、交流電力の出力量を変化させる。
【００３５】
例えば、インバータ１２１は、インバータ１１１が出力する交流電力の周波数に従って、インバータ１２１が出力する交流電力の出力量を決定する。そして、インバータ１２１は、決定された出力量で、交流電力を出力する。
【００３６】
具体的には、インバータ１２１は、電力線３０１における交流電圧を検出する。そして、インバータ１２１は、検出された交流電圧の周波数に従って、出力量を決定する。そして、インバータ１２１は、検出された交流電圧に同期した交流電流で規定される交流電力を出力する。その際、インバータ１２１は、周波数に従って決定された出力量で交流電力を出力する。すなわち、インバータ１２１は、周波数に従って決定された出力量が得られるように、交流電圧に交流電流を重畳する。
【００３７】
インバータ１３１も、インバータ１２１と同様に動作する。また、上記の通り、出力量は、有効電力の出力量でもよい。インバータ１２１、１３１は、それぞれ、交流電圧に１（１００％）の力率で交流電流を重畳するため、無効電力を出力せずに、有効電力を出力する。図１において、インバータ１２１が出力する有効電力は、Ｐ２と表現され、インバータ１３１が出力する有効電力は、Ｐ３と表現される。
【００３８】
電力貯蔵装置１１２、１２２は、それぞれ、電力を貯蔵するための装置であり、例えば、蓄電池（二次電池）である。電力貯蔵装置１１２、１２２は、それぞれ、キャパシタでもよい。例えば、電力貯蔵装置１１２は、発電機２１０から供給された電力を貯蔵し、貯蔵された電力をインバータ１１１に供給する。また、電力貯蔵装置１２２は、発電機２２０から供給された電力を貯蔵し、貯蔵された電力をインバータ１２１に供給する。
【００３９】
電力貯蔵装置１１２または電力貯蔵装置１２２を充電させる充電器が分散型電力供給システム１００に含まれてもよい。例えば、電力貯蔵装置１１２を充電させるための充電器が、電力線２１１に設置されてもよい。あるいは、このような充電器は、電力貯蔵装置１１２に含まれていてもよい。同様に、電力貯蔵装置１２２を充電させるための充電器が、電力線２２１に設置されてもよい。あるいは、このような充電器は、電力貯蔵装置１２２に含まれていてもよい。
【００４０】
電源１１０、１２０は、電力貯蔵装置１１２、１２２を備えることにより、負荷３００に対して、安定して電力を供給することができる。特に、電源１１０は、電力貯蔵装置１１２を備えることにより、継続して電圧源として動作することができる。
【００４１】
負荷３００は、電力を使用（消費）する機器または設備等であり、例えば、家電機器、住宅設備または工場設備である。負荷３００には、複数の機器または複数の設備等が含まれてもよい。特に、負荷３００は、大規模な発電所から電力が供給されていない無電化地域における複数の機器または複数の設備等でもよい。すなわち、分散型電力供給システム１００は、このような無電化地域の負荷３００に、電力を供給してもよい。
【００４２】
図１では、負荷３００に、Ｐ＋ｊＱの電力が供給される。Ｐは、有効電力を示し、Ｑは、無効電力を示す。Ｐは、電源１１０、１２０、１３０からの有効電力の合計に等しい。したがって、Ｐ＝Ｐ１＋Ｐ２＋Ｐ３が成立する。Ｑは、電源１１０からの無効電力に等しい。したがって、Ｑ＝Ｑ１が成立する。負荷３００において、無効電力は使用されず、有効電力が使用される。
【００４３】
電力線２１１、２２１、２３１、３０１のそれぞれは、電力が送信される通路である。電力線２１１、２２１、２３１、３０１のそれぞれは、物理的な１つのケーブルに限られず、複数の導体の結合を含む電力線でもよいし、電力網でもよい。特に、電力線２１１、２２１、３０１のそれぞれは、分岐を有する電力線である。また、電力線２１１、２２１、２３１、３０１のそれぞれは、有線に限られない。電力線２１１、２２１、２３１、３０１に関して、非接触電力伝送の技術が適用されてもよい。
【００４４】
なお、図１には、３つの電源１１０、１２０、１３０が示されているが、電源の数は３つでなくてもよい。電源の数は、２つでもよいし、４つ以上でもよい。特に、電源１２０、１３０のそれぞれは、任意の構成要素であって、分散型電力供給システム１００に含まれなくてもよい。
【００４５】
図２は、図１に示されたインバータ１１１、１２１、１３１の構成を示すブロック図である。インバータ１１１は、電圧制御を行うインバータであり、電圧源として動作する。具体的には、インバータ１１１は、制御部１１５、記憶部１１６および検出部１１７を備える。インバータ１１１における各構成要素は、例えば、電気的な回路である。
【００４６】
制御部１１５は、インバータ１１１の動作を制御する。例えば、制御部１１５は、交流電圧を生成し、交流電圧で規定される電力を出力する。記憶部１１６は、情報を記憶する。例えば、記憶部１１６は、出力量と周波数との関係を記憶する。検出部１１７は、電力線３０１の電力状態を検出する。
【００４７】
例えば、検出部１１７は、電力線３０１の電圧および電流を検出する。また、検出部１１７は、インバータ１１１から出力された電力の出力量を検出してもよい。さらに、検出部１１７は、電力貯蔵装置１１２との通信などによって、電力貯蔵装置１１２の充電状態（ＳＯＣ：Ｓｔａｔｅ  Ｏｆ  Ｃｈａｒｇｅ）を検出してもよい。インバータ１１１は、電力線３０１の電力状態を検出する電力状態検出部と、電力貯蔵装置１１２の充電状態を検出する充電状態検出部とを別々に備えてもよい。
【００４８】
また、例えば、制御部１１５は、検出部１１７における検出結果に基づいて、インバータ１１１が出力する交流電力の出力量を導出する。そして、制御部１１５は、導出された出力量に従って、周波数を決定する。その際、制御部１１５は、記憶部１１６に記憶された関係を参照し、出力量に対応付けられた周波数を特定することにより、周波数を決定する。そして、制御部１１５は、決定された周波数を有する交流電圧を生成し、生成された交流電圧で規定される交流電力を出力する。
【００４９】
これにより、インバータ１１１は、基準電圧を生成し、基準電圧で規定される交流電力を出力する。また、インバータ１１１は、有効電力と無効電力とを含む交流電力を出力する。また、インバータ１１１は、交流電力の出力量に従って、交流電力の周波数を変化させる。
【００５０】
なお、制御部１１５は、いわゆるフィードバック制御のように、インバータ１１１から出力された交流電力の出力量に従って、インバータ１１１が出力する交流電力の周波数を変化させてもよい。また、記憶部１１６の情報によらず、制御部１１５の回路により、交流電力の周波数は、交流電力の出力量の変化に従って変化してもよい。
【００５１】
インバータ１２１は、電流制御を行うインバータであり、基準電圧に対して電流を重畳する。インバータ１２１は、制御部１２５、記憶部１２６および検出部１２７を備える。インバータ１１１における構成要素と同様、インバータ１２１における各構成要素は、例えば、電気的な回路である。
【００５２】
制御部１２５は、インバータ１２１の動作を制御する。例えば、制御部１２５は、交流電圧に同期した交流電流で規定される電力を出力する。記憶部１２６は、情報を記憶する。例えば、記憶部１２６は、出力量と周波数との関係を記憶する。検出部１２７は、電力線３０１の電力状態を検出する。
【００５３】
例えば、検出部１２７は、電力線３０１の電圧および電流を検出する。より具体的には、検出部１２７は、電力線３０１における交流電圧の周波数を検出する。さらに、検出部１２７は、電力貯蔵装置１２２との通信などによって、電力貯蔵装置１２２の充電状態を検出してもよい。インバータ１２１は、電力線３０１の電力状態を検出する電力状態検出部と、電力貯蔵装置１２２の充電状態を検出する充電状態検出部とを別々に備えてもよい。
【００５４】
また、例えば、制御部１２５は、検出部１２７における検出結果に基づいて、基準電圧である交流電圧の周波数、位相および振幅を導出する。そして、制御部１２５は、交流電圧の周波数に従って、インバータ１２１が出力する交流電力の出力量を決定する。その際、制御部１２５は、記憶部１２６に記憶された関係を参照し、周波数に対応付けられた出力量を特定することにより、出力量を決定する。
【００５５】
また、制御部１２５は、交流電圧の周波数および位相に基づいて、交流電圧に同期した交流電流を生成し、生成された交流電流で規定される交流電力を出力する。その際、制御部１２５は、決定された出力量を有する交流電力を出力する。すなわち、制御部１２５は、決定された出力量を有する交流電力が得られるように、交流電圧に交流電流を重畳する。
【００５６】
これにより、インバータ１２１は、基準電圧に１（１００％）の力率で交流電流を重畳させる。すなわち、インバータ１２１は、無効電力を出力せずに、有効電力を出力する。また、インバータ１２１は、交流電力の周波数に従って、交流電力の出力量を変化させる。
【００５７】
なお、制御部１２５は、いわゆるフィードバック制御のように、インバータ１２１から出力された交流電力の周波数に従って、インバータ１２１が出力する交流電力の出力量を変化させてもよい。また、記憶部１２６の情報によらず、制御部１２５の回路により、交流電力の出力量は、交流電力の周波数の変化に従って変化してもよい。
【００５８】
インバータ１３１は、電流制御を行うインバータであり、基準電圧に対して電流を重畳する。インバータ１３１は、制御部１３５、記憶部１３６および検出部１３７を備える。インバータ１２１における構成要素と同様、インバータ１３１における各構成要素は、例えば、電気的な回路である。
【００５９】
また、インバータ１３１における各構成要素は、インバータ１２１において対応する構成要素と同様に動作する。ただし、図１の例において、電源１３０に電力貯蔵装置が含まれていないため、検出部１３７は、電力貯蔵装置の充電状態を検出しない。
【００６０】
図２におけるインバータ１１１、１２１、１３１のそれぞれの構成は、一例であり、適宜変更されてもよい。
【００６１】
図１および図２に示された構成において、インバータ１１１、１２１、１３１は、並列運転し、周波数を用いて、電力の出力量を適切に分担する。このような構成が用いられない場合、電力の出力量を適切に分担することは困難である。以下、図３〜図６を用いて、分担が困難であることを説明する。
【００６２】
図３は、インバータから負荷への電力供給状態の一例を示す模式図である。図３には、電圧制御を行うインバータ４０１と負荷５００とが示されている。インバータ４０１と負荷５００とは、電力線を介して互いに接続されている。また、基準電圧は、２００（Ｖｒｍｓ）であり、インバータ４０１は、２００（Ｖｒｍｓ）の交流電圧を生成する。負荷５００は、２０（Ω）の抵抗を有する。
【００６３】
この場合、インバータ４０１は、２００（Ｖｒｍｓ）／２０（Ω）＝１０（Ａ）の電流で規定される電力を出力する。すなわち、インバータ４０１は、１０（Ａ）×２００（Ｖｒｍｓ）＝２（ｋＷ）の電力（有効電力）を出力する。
【００６４】
図３の例では、１つのインバータ４０１が負荷５００に電力を供給するため、電力の出力量を分担しなくてもよい。インバータ４０１は、電力の出力量を分担することなく、負荷５００に対して適切な電力を供給することができる。
【００６５】
図４〜図６のそれぞれは、２つのインバータから負荷への電力供給状態の一例を示す模式図である。図４〜図６のそれぞれには、電圧制御を行うインバータ４０１と、電流制御を行うインバータ４０２と、負荷５００とが示されている。インバータ４０１とインバータ４０２と負荷５００とは、電力線を介して互いに接続されている。
【００６６】
また、図３の例と同様に、基準電圧は、２００（Ｖｒｍｓ）であり、インバータ４０１は、２００（Ｖｒｍｓ）の交流電圧を生成する。負荷５００は、２０（Ω）の抵抗を有する。
【００６７】
インバータ４０２は、基準電圧に電流を重畳させる。したがって、インバータ４０２は、交流電圧を基準電圧として生成するインバータ４０１と一緒に動作する。
【００６８】
この場合、インバータ４０１とインバータ４０２とが、合計で１０（Ａ）の電流を出力する。すなわち、インバータ４０１とインバータ４０２とが、合計で２（ｋＷ）の電力（有効電力）を出力する。これにより、負荷５００に対して適切な電力が供給される。しかし、インバータ４０１が出力する電力の出力量、および、インバータ４０２が出力する電力の出力量は、唯一に特定されない。
【００６９】
例えば、図４の例では、インバータ４０１からの電流の大きさが１０（Ａ）であり、インバータ４０２からの電流の大きさが０（Ａ）である。つまり、インバータ４０１からの電力の出力量が２（ｋＷ）であり、インバータ４０２からの電力の出力量が０（ｋＷ）である。
【００７０】
また、図５の例では、インバータ４０１からの電流の大きさが０（Ａ）であり、インバータ４０２からの電流の大きさが１０（Ａ）である。つまり、インバータ４０１からの電力の出力量が０（ｋＷ）であり、インバータ４０２からの電力の出力量が２（ｋＷ）である。
【００７１】
また、図６の例では、インバータ４０１からの電流の大きさが−１０（Ａ）であり、インバータ４０２からの電流の大きさが２０（Ａ）である。つまり、インバータ４０１からの電力の出力量が−２（ｋＷ）であり、インバータ４０２からの電力の出力量が４（ｋＷ）である。
【００７２】
図４〜図６のいずれの場合においても、負荷５００に対して過不足なく電力が供給される。しかし、いずれの場合においても、インバータ４０１、４０２の出力量に偏りが生じている。このように、インバータ４０１、４０２のそれぞれが、負荷５００に対して釣り合いの取れた電力を供給しようとする場合、これらの応答性能に応じて、これらの出力量に偏りが生じる可能性がある。すなわち、複数のインバータが電力の出力量を適切に分担することは、容易ではない。
【００７３】
そこで、図１および図２に示されたインバータ１１１、１２１、１３１は、周波数を用いて、電力の出力量を適切に分担する。次に、図７〜図１３を用いて、インバータ１１１、１２１、１３１の特性（インバータ特性）に関する複数の例を説明する。
【００７４】
図７は、図１に示されたインバータ１１１の特性の一例を示すグラフである。具体的には、図７の太線６０１が、インバータ１１１の特性を示す。図７の例において、インバータ１１１は、交流電力（有効電力）の出力量が大きいほど交流電力の周波数が小さいという特性を有する。つまり、インバータ１１１は、出力量が増加した場合、周波数を下げる。逆に、インバータ１１１は、出力量が減少した場合、周波数を上げる。例えば、図７に示された特性は、式１によって表現される。
【００７５】
【数１】
2016123243.tif 000003
【００７６】
ここで、Ｆは、周波数を示し、Ｐは、出力量を示す。Ｆ０は、出力量が０である場合における周波数である基準周波数を示す。ＦＬは、周波数の変化範囲における最小値を示し、ＦＨは、周波数の変化範囲における最大値を示す。ＰＧは、出力量の変化範囲における最大値を示し、ＰＳは、出力量の変化範囲における最小値を示す。
【００７７】
特に、図７の例では、ＦＨ＝Ｆ０、ＰＳ＝０である。したがって、図７に示された特性は、さらに、式２によって表現される。
【００７８】
【数２】
2016123243.tif 000004
【００７９】
具体的には、Ｆ０＝５０．０（Ｈｚ）、ＦＬ＝４７．５（Ｈｚ）、ＰＧ＝２（ｋＷ）である。したがって、周波数と出力量との関係は式３によって表現される。インバータ１１１は、式３を用いて、出力量から周波数を導出することができる。
【００８０】
【数３】
2016123243.tif 000005
【００８１】
図８は、図１に示されたインバータ１２１、１３１の共通の特性の一例を示すグラフである。具体的には、図８の太線６０２が、インバータ１２１、１３１の共通の特性を示す。図８の例において、インバータ１２１、１３１は、交流電力の周波数が小さいほど交流電力（有効電力）の出力量が大きいという特性を有する。つまり、インバータ１２１、１３１は、周波数が下がった場合、出力量を増加させる。逆に、インバータ１２１、１３１は、周波数が上がった場合、出力量を減少させる。
【００８２】
図８に示された特性は、図７に示された特性と同様であるため、式１〜式３と同様に表現される。式１〜３を変形することにより、周波数から出力量を導出するための式である式４〜６が得られる。
【００８３】
【数４】
2016123243.tif 000006
【数５】
2016123243.tif 000007
【数６】
2016123243.tif 000008
【００８４】
特に、図８に示された特性を有するインバータ１２１、１３１は、式６を用いて、周波数から出力量を導出することができる。
【００８５】
例えば、負荷３００が３（ｋＷ）の電力を使用する場合、インバータ１１１、１２１、１３１は、図７および図８に示された特性に従って、以下のように動作する。
【００８６】
まず、負荷３００に対して電力を供給するため、インバータ１１１から出力される電力の出力量が０（ｋＷ）から増加する。出力量の増加に従って、インバータ１１１から出力される電力の周波数が５０（Ｈｚ）から低下する。周波数の低下に従って、インバータ１２１、１３１から出力される電力の出力量が０（ｋＷ）から増加する。
【００８７】
インバータ１１１から出力される電力の出力量が１（ｋＷ）に増加した場合、周波数が４８．７５（Ｈｚ）に低下する。そして、周波数が４８．７５（Ｈｚ）に低下した場合、インバータ１２１、１３１のそれぞれから出力される電力の出力量が１（ｋＷ）に増加する。すなわち、周波数が４８．７５（Ｈｚ）である場合、インバータ１１１、１２１、１３１のそれぞれから出力される電力の出力量は１（ｋＷ）である。
【００８８】
これにより、負荷３００の電力の使用量と、インバータ１１１、１２１、１３１から出力される電力の出力量とが釣り合う。そして、全体の出力量が、インバータ１１１、１２１、１３１に対して適切に分担される。
【００８９】
図７および図８において示された特性は、インバータ１１１、１２１、１３１の特性の一例であり、インバータ１１１、１２１、１３１の特性は、適宜変更されてもよい。
【００９０】
例えば、図７における出力量の変化量と周波数の変化量との比（出力量の変化量に対する周波数の変化量の傾き）、および、図８における出力量の変化量と周波数の変化量との比（出力量の変化量に対する周波数の変化量の傾き）は、互いに等しい。しかし、インバータ１１１における出力量の変化量と周波数の変化量との比、および、インバータ１２１、１３１における出力量の変化量と周波数の変化量との比は、互いに異なっていてもよい。
【００９１】
具体的には、インバータ１２１、１３１は、図８に示された特性の代わりに図９に示される特性を有してもよい。
【００９２】
図９は、図１に示されたインバータ１２１、１３１の共通の特性の一例を示すグラフである。具体的には、図９の太線６０３が、インバータ１２１、１３１の共通の特性を示す。図９の例では、周波数の変化に対する出力量の変化の割合が図７の例よりも小さい。したがって、インバータ１２１、１３１のそれぞれの出力量は、インバータ１１１の出力量よりも小さい。
【００９３】
例えば、負荷３００が３（ｋＷ）の電力を使用する場合、図７および図９に示された特性に従って、４８．１２５（Ｈｚ）の周波数において、負荷３００の電力の使用量と、インバータ１１１、１２１、１３１からの電力の出力量とが釣り合う。具体的には、４８．１２５（Ｈｚ）の周波数において、インバータ１１１からの出力量は１．５（ｋＷ）であり、インバータ１２１、１３１のそれぞれからの出力量は０．７５（ｋＷ）である。
【００９４】
図９の例では、インバータ１２１、１３１のそれぞれの出力量が、インバータ１１１の出力量よりも小さくなるように、インバータ１２１、１３１の特性が変更されている。しかし、インバータ１２１、１３１のそれぞれの出力量が、インバータ１１１の出力量よりも大きくなるように、インバータ１２１、１３１の特性が変更されてもよい。
【００９５】
また、インバータ１１１の出力量が、インバータ１２１、１３１のそれぞれの出力量よりも小さくなるように、インバータ１１１の特性が変更されてもよい。また、インバータ１１１の出力量が、インバータ１２１、１３１のそれぞれの出力量よりも大きくなるように、インバータ１１１の特性が変更されてもよい。
【００９６】
また、インバータ１２１の特性と、インバータ１３１の特性とが、互いに異なるように、変更されてもよい。
【００９７】
図１０は、図１に示されたインバータ１２１、１３１の特性の一例を示すグラフである。具体的には、図１０の太線６０４が、インバータ１２１の特性を示す。また、図１０の太線６０５が、インバータ１３１の特性を示す。なお、５０（Ｈｚ）以上の周波数では、インバータ１２１の特性と、インバータ１３１の特性とは、互いに一致している。
【００９８】
インバータ１２１における周波数の変化に対する出力量の変化の割合は、インバータ１３１における周波数の変化に対する出力量の変化の割合よりも小さい。したがって、インバータ１２１の出力量は、インバータ１３１の出力量よりも小さい。
【００９９】
例えば、負荷３００が３（ｋＷ）の電力を使用する場合、図７および図１０に示された特性に従って、４８．７５（Ｈｚ）の周波数において、負荷３００の電力の使用量と、インバータ１１１、１２１、１３１からの電力の出力量とが釣り合う。具体的には、４８．７５（Ｈｚ）の周波数において、インバータ１１１の出力量は１（ｋＷ）であり、インバータ１２１の出力量は０．５（ｋＷ）であり、インバータ１３１の出力量は１．５（ｋＷ）である。
【０１００】
電源１２０よりも電源１３０を用いた方が電力貯蔵装置１２２の充放電が抑制される。したがって、電源１３０が優先的に用いられるように、図１０の例が適用されてもよい。これにより、電力貯蔵装置１２２の充放電が抑制され、電力貯蔵装置１２２の劣化の進行が抑制される可能性がある。
【０１０１】
また、インバータ１１１は、電力貯蔵装置１１２を含む電源１１０に含まれるため、インバータ１１１の特性は、電力貯蔵装置１１２の充電状態に従って、変動してもよい。
【０１０２】
図１１は、図１に示されたインバータ１１１の特性の一例を示すグラフである。図１１には、図７に示された特性を示す太線６０１が示されている。例えば、インバータ１１１は、出力量の変化に対する周波数の変化の割合を充電状態に従って変化させる。具体的には、インバータ１１１は、充電状態が低いほどインバータ１１１の出力量が小さくなるように、出力量の変化に対する周波数の変化の割合を充電状態に従って変化させる。
【０１０３】
図１１の例では、充電状態が低い場合、太線６０１に示される特性から一点鎖線６０６に示される特性に、インバータ１１１の特性が変動する。つまり、充電状態が低い場合、出力量の増加に対する周波数の低下率が大きくなるように、特性が変動する。これにより、インバータ１２１、１３１からの出力量が増加する。したがって、充電状態が低いほどインバータ１１１の出力量が小さくなる。
【０１０４】
インバータ１１１は、充電状態が高い場合、出力量の増加に対する周波数の低下率が小さくなるように、特性を変動させてもよい。また、インバータ１１１は、充電状態の度合いに応じて、多段階に特性を変動させてもよい。
【０１０５】
また、インバータ１２１は、電力貯蔵装置１２２を含む電源１２０に含まれるため、インバータ１２１の特性は、電力貯蔵装置１２２の充電状態に従って、変動してもよい。
【０１０６】
図１２は、図１に示されたインバータ１２１の特性の一例を示すグラフである。図１２には、図８に示された特性を示す太線６０２が示されている。例えば、インバータ１２１は、周波数の変化に対する出力量の変化の割合を充電状態に従って変化させる。具体的には、インバータ１２１は、充電状態が低いほどインバータ１２１の出力量が小さくなるように、周波数の変化に対する出力量の変化の割合を充電状態に従って変化させる。
【０１０７】
図１２の例では、充電状態が低い場合、太線６０２に示される特性から一点鎖線６０７に示される特性に、インバータ１２１の特性が変動する。つまり、充電状態が低い場合、周波数の低下に対する出力量の増加率が小さくなるように、特性が変動する。これにより、インバータ１２１からの出力量が減少する。したがって、充電状態が低いほどインバータ１２１の出力量が小さくなる。
【０１０８】
インバータ１２１は、充電状態が高い場合、周波数の低下に対する出力量の増加率が大きくなるように、特性を変動させてもよい。また、インバータ１２１は、充電状態の度合いに応じて、多段階に特性を変動させてもよい。
【０１０９】
インバータ１２１は、双方向インバータでもよい。例えば、インバータ１２１は、充電状態が低い場合、電力線３０１から交流電力を取得し、取得された交流電力を直流電力に変換し、電力貯蔵装置１２２に直流電力を供給してもよい。この場合、電源１２０は、負荷として扱われる。
【０１１０】
図１３は、図１に示されたインバータ１２１、１３１の特性の一例を示すグラフである。図１３には、図８に示された特性を示す太線６０２が示されている。
【０１１１】
例えば、負荷３００が３（ｋＷ）の電力を使用する場合、図７および図１３に示された特性に従って、４８．７５（Ｈｚ）の周波数において、負荷３００の電力の使用量と、インバータ１１１、１２１、１３１からの電力の出力量とが釣り合う。具体的には、４８．７５（Ｈｚ）の周波数において、インバータ１１１、１２１、１３１のそれぞれの出力量は１（ｋＷ）である。
【０１１２】
その後、電力貯蔵装置１２２の充電状態が所定の充電状態よりも低くなった場合、インバータ１２１は、電力線３０１への交流電力の出力を停止し、電力線３０１から得られる交流電力を直流電力に変換することにより、交流電力から直流電力を生成する。そして、インバータ１２１は、生成された直流電力を電力線２２１に出力し、電力貯蔵装置１２２に充電させる。
【０１１３】
例えば、インバータ１２１は、電力貯蔵装置１２２に充電させるため、１（ｋＷ）の電力を使用する。この場合、インバータ１２１の出力量は、−１（ｋＷ）として扱われる。また、電源１２０は、負荷として扱われる。
【０１１４】
インバータ１１１は、負荷の増加に従って、出力量を増加させる。さらに、インバータ１１１は、出力量の増加に従って、周波数を低下させる。インバータ１３１は、周波数の低下に従って、出力量を増加させる。
【０１１５】
その結果、４７．５（Ｈｚ）の周波数において、負荷３００および電源１２０の電力の使用量と、インバータ１１１、１３１からの電力の出力量とが釣り合う。具体的には、４７．５（Ｈｚ）の周波数において、インバータ１１１、１３１のそれぞれの出力量は２（ｋＷ）である。
【０１１６】
図１３の一点鎖線６０８は、充電時のインバータ１２１の出力量、および、充電時の周波数の変化を表す。その後、充電状態が回復した際、インバータ１２１は、再び、周波数に従った出力量で電力を出力する。そして、再び、４８．７５（Ｈｚ）の周波数において、負荷３００の電力の使用量と、インバータ１１１、１２１、１３１からの電力の出力量とが釣り合う。
【０１１７】
これにより、電源１２０は、周波数に従って電力を出力する動作と、負荷として電力を使用する動作とを切り替えることができる。
【０１１８】
なお、図７および図８等の例において、出力量と周波数とは比例関係を有している。具体的には、大きい出力量と低い周波数とが対応付けられ、小さい出力量と高い周波数とが対応付けられている。この関係は、逆でもよい。つまり、大きい出力量と高い周波数とが対応付けられ、小さい出力量と低い周波数とが対応付けられてもよい。また、基準周波数に大きい出力量が対応付けられてもよい。また、出力量と周波数とが比例関係とは異なる関係で対応付けられてもよい。
【０１１９】
次に、フローチャートを用いて、図１に示された分散型電力供給システム１００の特徴的な動作を説明する。
【０１２０】
図１４は、図１に示された分散型電力供給システム１００の特徴的な動作を示すフローチャートである。まず、インバータ１１１は、交流電圧を生成し、交流電圧で規定される第１電力を電力線３０１へ出力する。その際、インバータ１１１は、第１電力の出力量である第１電力出力量の変化に従って、交流電圧の周波数を変化させる（Ｓ１０１）。
【０１２１】
次に、インバータ１２１は、電力線３０１を介して交流電圧を検出し、交流電圧に同期した交流電流で規定される第２電力を電力線３０１へ出力する。その際、インバータ１２１は、周波数の変化に従って、第２電力の出力量である第２電力出力量を変化させる（Ｓ１０２）。インバータ１３１も、インバータ１２１と同様に動作する。
【０１２２】
これにより、分散型電力供給システム１００は、電源１１０、１２０、１３０に対して、電力の出力量を適切に分担することができる。
【０１２３】
以上、本発明に係る分散型電力供給システムについて、実施の形態に基づいて説明したが、本発明は、実施の形態に限定されない。実施の形態に対して当業者が思いつく変形を施して得られる形態、および、実施の形態における複数の構成要素を任意に組み合わせて実現される別の形態も本発明に含まれる。
【０１２４】
例えば、特定の構成要素が実行する処理を別の構成要素が実行してもよい。また、処理を実行する順番が変更されてもよいし、複数の処理が並行して実行されてもよい。
【０１２５】
また、本発明は、分散型電力供給システムとして実現できるだけでなく、分散型電力供給システムを構成する各構成要素が行うステップ（処理）を含む電力供給制御方法として実現できる。
【０１２６】
最後に、分散型電力供給システム１００の基本的な構成例、および、複数の変形例等を示す。これらは、適宜、組み合わされてもよい。
【０１２７】
（第１例）
本発明の一態様に係る分散型電力供給システム１００は、電源１１０と、電源１２０とを備える。電源１１０および電源１２０は、負荷３００が接続される電力線３０１に接続される。
【０１２８】
また、電源１１０は、インバータ１１１と電力貯蔵装置１１２とを備える。インバータ１１１は、交流電圧を生成し、交流電圧で規定される第１電力を電力線３０１へ出力する。電力貯蔵装置１１２は、インバータ１１１に対して、貯蔵された電力を供給する。電源１２０は、インバータ１２１を備える。インバータ１２１は、電力線３０１を介して交流電圧を検出し、交流電圧に同期した第１交流電流で規定される第２電力を電力線３０１へ出力する。
【０１２９】
また、インバータ１１１は、第１電力の出力量である第１電力出力量の変化に従って、交流電圧の周波数を変化させる。インバータ１２１は、周波数の変化に従って、第２電力の出力量である第２電力出力量を変化させる。
【０１３０】
これにより、分散型電力供給システム１００は、電源１１０、１２０に対して、電力の出力量を適切に分担することができる。
【０１３１】
（第２例）
例えば、第１例の分散型電力供給システム１００において、第１電力出力量の変化量と周波数の変化量との比、および、第２電力出力量の変化量と周波数の変化量との比は、互いに等しくてもよい。
【０１３２】
これにより、分散型電力供給システム１００は、電圧源として動作する電源１１０、および、電源１１０とは異なる電源１２０に対して、電力の出力量を均等に分担させることができる。
【０１３３】
（第３例）
例えば、第１例の分散型電力供給システム１００において、第１電力出力量の変化量と周波数の変化量との比、および、第２電力出力量の変化量と周波数の変化量との比は、互いに異なってもよい。
【０１３４】
これにより、分散型電力供給システム１００は、電圧源として動作する電源１１０、および、電源１１０とは異なる電源１２０のうち、一方を優先させて電力を出力させることができる。
【０１３５】
（第４例）
例えば、第１例、第２例または第３例の分散型電力供給システム１００は、電力線３０１に接続される電源１３０を備えてもよい。そして、電源１３０は、インバータ１３１を備えてもよい。そして、インバータ１３１は、電力線３０１を介して交流電圧を検出し、交流電圧に同期した第２交流電流で規定される第３電力を電力線３０１へ出力してもよい。そして、インバータ１３１は、周波数の変化に従って、第３電力の出力量である第３電力出力量を変化させてもよい。
【０１３６】
そして、第２電力出力量の変化量と周波数の変化量との比、および、第３電力出力量の変化量と周波数の変化量との比は、互いに等しくてもよい。
【０１３７】
これにより、分散型電力供給システム１００は、電圧源として動作する電源１１０とは異なる２つの電源１２０、１３０に対して、電力の出力量を均等に分担させることができる。
【０１３８】
（第５例）
例えば、第１例、第２例または第３例の分散型電力供給システム１００は、電力線３０１に接続される電源１３０を備えてもよい。そして、電源１３０は、インバータ１３１を備えてもよい。そして、インバータ１３１は、電力線３０１を介して交流電圧を検出し、交流電圧に同期した第２交流電流で規定される第３電力を電力線３０１へ出力してもよい。そして、インバータ１３１は、周波数の変化に従って、第３電力の出力量である第３電力出力量を変化させてもよい。
【０１３９】
そして、第２電力出力量の変化量と周波数の変化量との比、および、第３電力出力量の変化量と周波数の変化量との比は、互いに異なってもよい。
【０１４０】
これにより、分散型電力供給システム１００は、電圧源として動作する電源１１０とは異なる２つの電源１２０、１３０のうち、一方を優先させて電力を出力させることができる。
【０１４１】
（第６例）
例えば、第１例の分散型電力供給システム１００において、第１電力出力量の変化量と周波数の変化量との比は、電力貯蔵装置１１２の充電状態に従って変動してもよい。
【０１４２】
これにより、分散型電力供給システム１００は、電圧源として動作する電源１１０に含まれる電力貯蔵装置１１２の充電状態に従って、電源１１０からの出力量を調整することができる。
【０１４３】
（第７例）
例えば、第１例または第６例の分散型電力供給システム１００において、電源１２０は、電力貯蔵装置１２２を備えてもよい。そして、電力貯蔵装置１２２は、インバータ１２１に対して、貯蔵された電力を供給してもよい。そして、第２電力出力量の変化量と周波数の変化量との比は、電力貯蔵装置１２２の充電状態に従って変動してもよい。
【０１４４】
これにより、分散型電力供給システム１００は、電圧源として動作する電源１１０とは異なる電源１２０に含まれる電力貯蔵装置１２２の充電状態に従って、電源１２０からの出力量を調整することができる。
【０１４５】
（第８例）
例えば、第１例の分散型電力供給システム１００において、電源１２０は、電力貯蔵装置１２２を備えてもよい。電力貯蔵装置１２２は、インバータ１２１に対して、貯蔵された電力を供給してもよい。そして、インバータ１２１は、双方向インバータであってもよい。そして、インバータ１２１は、電力貯蔵装置１２２の充電状態が所定の充電状態よりも低い場合、第２電力を出力せずに、電力線３０１から電力を取得し、電力貯蔵装置１２２に充電させてもよい。
【０１４６】
これにより、分散型電力供給システム１００は、電圧源として動作する電源１１０とは異なる電源１２０に含まれる電力貯蔵装置１２２の充電状態に従って、電力貯蔵装置１２２に充電させることができる。
【０１４７】
（第９例）
本発明の一態様に係る電力供給制御方法では、負荷３００が接続された電力線３０１に接続された電源１１０において交流電圧が生成され、交流電圧で規定される第１電力が電源１１０から電力線３０１へ出力される（Ｓ１０１）。そして、電力線３０１に接続された電源１２０において電力線３０１を介して交流電圧が検出され、交流電圧に同期した交流電流で規定される第２電力が電源１２０から電力線３０１へ出力される（Ｓ１０２）。
【０１４８】
第１電力が出力される際、第１電力の出力量である第１電力出力量の変化に従って、交流電圧の周波数が変化する。第２電力が出力される際、周波数の変化に従って、第２電力の出力量である第２電力出力量が変化する。
【０１４９】
これにより、電源１１０、１２０に対して、電力の出力量が適切に分担される。
【符号の説明】
【０１５０】
１００  分散型電力供給システム
１１０、１２０、１３０  電源
１１１、１２１、１３１  インバータ
１１２、１２２  電力貯蔵装置
３００  負荷
３０１  電力線
【図１】
2016123243.tif 000009
【図２】
2016123243.tif 000010
【図３】
2016123243.tif 000011
【図４】
2016123243.tif 000012
【図５】
2016123243.tif 000013
【図６】
2016123243.tif 000014
【図７】
2016123243.tif 000015
【図８】
2016123243.tif 000016
【図９】
2016123243.tif 000017
【図１０】
2016123243.tif 000018
【図１１】
2016123243.tif 000019
【図１２】
2016123243.tif 000020
【図１３】
2016123243.tif 000021
【図１４】
2016123243.tif 000022